(57)【要約】  【課題】  固定取付面の構造に制約なく、固定取付面に比較的自由に取り付けることができ、複数のブラインド取付用ブラケットを取り付けることができるブラインド取付用補助ブラケットを提供する。  【解決手段】  水平な該固定取付面２４に取り付けられる被取付部１２ｃを有すると共に、正面と下面に、ブラインド取付用ブラケット３０、４０を取り付けるための第１取付部１４ｄと第２取付部１８ａ、１８ｂをそれぞれ有する。各取付部１４ｄ、１８ａ、１８ｂはブラインド取付用ブラケット３０、４０を、その上端部の高さが被取付部１２ｃの高さ以下となる位置で取り付け可能となっている。【選択図】  図３
2005290759.tif 000002
【特許請求の範囲】
【請求項１】
窓枠等の固定取付面（２４）に対して複数のブラインド取付用ブラケット（３０、４０）を固定するための補助ブラケットであって、
水平な前記固定取付面（２４）に取り付けられる被取付部（１２ｃ）を有すると共に、正面と下面に、ブラインド取付用ブラケット（３０、４０）を取り付けるための第１取付部（１４ｄ、５４ｄ）と第２取付部（１８ａ、１８ｂ）とをそれぞれ有し、該各取付部（１４ｄ、５４ｄ、１８ａ、１８ｂ）はブラインド取付用ブラケット（３０、４０）をその上端部の高さが被取付部（１２ｃ）の高さ以下となる位置で取り付け可能とすることを特徴とするブラインド取付用補助ブラケット。
【請求項２】
前記被取付部（１２ｃ）を有する補助ブラケット本体（１２）と、補助ブラケット本体（１２）の正面側の部分に取り付けられる取付体（１４、５４）とからなり、該取付体（１４、５４）の正面に前記第１取付部（１４ｄ、５４ｄ）が配置され、補助ブラケット本体（１２）の下面に第２取付部（１８ａ、１８ｂ）が配置されることを特徴とする請求項１記載のブラインド取付用補助ブラケット。
【請求項３】
前記取付体（５４）は、前記補助ブラケット本体（１２）の正面側の部分に取り付けられる水平部（５４ａ）と、水平部（５４ａ）の正面側端部から上下方向に伸びる垂直部（５４ｂ）とからなる側面から見てＬ字状形状をなしており、水平部（５４ａ）はその上下の向きを逆転可能に補助ブラケット本体（１２）に取り付け可能であることを特徴とする請求項２記載のブラインド取付用補助ブラケット。
【請求項４】
前記第２取付部（１８ａ、１８ｂ）の位置は、補助ブラケット本体（１２）に対して前後方向に調整可能であることを特徴とする請求項１ないし３のいずれか１項に記載のブラインド取付用補助ブラケット。
【請求項５】
前記補助ブラケット本体（１２）には、前記第２取付部（１８ａ、１８ｂ）に第２ブラインド取付用ブラケット（４０）を取り付ける取付用ビス（４２）の先端部が収納可能な収納部が設けられることを特徴とする請求項１ないし４のいずれか１項に記載のブラインド取付用補助ブラケット。
【発明の詳細な説明】
【技術分野】
【０００１】
本発明は、複数のブラインドを窓枠等の固定取付面に対して固定するべく、各ブラインドのブラインド支持枠を支持するブラインド取付用ブラケットを固定取付面に対して固定するための補助ブラケットに関する。
【背景技術】
【０００２】
従来、ブラインドを窓枠等の固定取付面に固定するには、該固定取付面にブラインド取付用ブラケットを取り付け、そのブラインド取付用ブラケットに、ブラインド遮蔽材を支持するブラインド支持枠を取り付けることによって行われている。複数のブラインドを固定取付面に固定する場合、それぞれのブラインドに割り当てられるブラインド取付用ブラケットをそれぞれ固定取付面に取り付けると、その取付位置が互いに揃うように注意しながら取り付けなければならず、手間がかかるという問題がある。
【０００３】
そのため、複数のブラインド取付用ブラケットをまとめて取り付けることができる補助ブラケットを使用することが行われており、例えば、特開２００３−１９３７７２号公報に記載された補助ブラケット（取付補助具）が知られている。
【０００４】
これによれば、取付補助具は、直角に屈曲した板部材で、窓枠の下面に当接する水平板部と、窓枠の正面に当接する垂直板部とを構成し、水平板部に窓枠に取着するための第一の取付孔を設けるとともに、第一のブラインド取付用ブラケットを取着するためのネジ孔を設け、垂直板部には第二のブラインド取付用ブラケットを取着するためのネジ孔を設けている。
【０００５】
取付補助具は、窓枠の正面及び下面に当接した状態で窓枠に固定され、第一のブラインド取付用ブラケット及び第二のブラインド取付用ブラケットをそれぞれ水平板部及び垂直板部のネジ孔に取着すると、複数の取付補助具及びそれに取着された複数のブラインド取付用ブラケットの取付位置を容易に揃えることができる。
【０００６】
しかしながら、上記取付補助具は、直角に屈曲した板部材であり、必ず、窓枠の下面と正面とにその水平板部と垂直板部とを当接させなければならず、つまり、窓枠の下面と正面とを必要とし、且つ取付補助具を窓枠の正面側に突出するように窓枠に取り付けるより他なく、窓枠の構造及び取付補助具の取付の態様が限定されるという問題がある。
【０００７】
【特許文献１】特開２００３−１９３７７２号公報
【発明の開示】
【発明が解決しようとする課題】
【０００８】
本発明はかかる課題に鑑みなされたものであり、固定取付面の構造に制約なく、固定取付面に比較的自由に取り付けることができ、複数のブラインド取付用ブラケットを取り付けることができるブラインド取付用補助ブラケットを提供することをその目的とする。
【課題を解決するための手段】
【０００９】
前述した目的を達成するために、請求項１記載の発明は、窓枠等の固定取付面に対して複数のブラインド取付用ブラケットを固定するための補助ブラケットであって、
水平な前記固定取付面に取り付けられる被取付部を有すると共に、正面と下面に、ブラインド取付用ブラケットを取り付けるための第１取付部と第２取付部とをそれぞれ有し、該各取付部はブラインド取付用ブラケットをその上端部の高さが被取付部の高さ以下となる位置で取り付け可能とすることを特徴とする。
【００１０】
請求項２記載の発明は、請求項１記載のものにおいて、前記被取付部を有する補助ブラケット本体と、補助ブラケット本体の正面側の部分に取り付けられる取付体とからなり、該取付体の正面に前記第１取付部が配置され、補助ブラケット本体の下面に第２取付部が配置されることを特徴とする。
【００１１】
請求項３記載の発明は、請求項２記載の前記取付体が、前記補助ブラケット本体の正面側の部分に取り付けられる水平部と、水平部の正面側端部から上下方向に伸びる垂直部とからなる側面から見てＬ字状形状をなしており、水平部はその上下の向きを逆転可能に補助ブラケット本体に取り付け可能であることを特徴とする。
【００１２】
請求項４記載の発明は、請求項１ないし３のいずれか１項に記載のものにおいて、前記第２取付部の位置が、補助ブラケット本体に対して前後方向に調整可能であることを特徴とする。
【００１３】
請求項５記載の発明は、請求項１ないし４のいずれか１項に記載のものにおいて、前記補助ブラケット本体には、前記第２取付部に第２ブラインド取付用ブラケットを取り付ける取付用ビスの先端部が収納可能な収納部が設けられることを特徴とする。
【発明の効果】
【００１４】
本発明によれば、各取付部はブラインド取付用ブラケットをその上端部の高さが被取付部の高さ以下となる位置で取り付け可能としていることから、固定取付面が水平の面一の平面である場合であっても被取付部よりもブラインド取付用ブラケットが上方に突出しないために、ブラインド取付用ブラケットが固定取付面と干渉することがない。よって、固定取付面の構造に制約を受けずに、複数のブラインド取付用ブラケットを取り付けることができる。
【００１５】
請求項２記載の発明によれば、補助ブラケットに取り付けられる複数のブラインド取付用ブラケットを互いに干渉することなく取り付けることができる。
【００１６】
請求項３記載の発明によれば、水平部を反転させることにより、水平部を上下の向きをいずれの向きにも取り付けることができ、これによって、Ｌ字形状の一部である垂直部が水平部よりも上方に突出する状態と、水平部よりも下方に突出する状態とのいずれにもすることができる。これによって、被取付部よりもブラインド取付用ブラケットが上方または下方のいずれにも位置するように任意に変更することができる。
【００１７】
請求項４記載の発明によれば、第１ブラインド取付用ブラケットと干渉しないように第２ブラインド取付用ブラケットの取付位置を変えることができるようになる。
【００１８】
請求項５記載の発明によれば、補助ブラケット本体の収納部に取付用ビスの先端部を収納することにより、取付用ビスの先端部が固定取付面に干渉しないようにすることができる。
【発明を実施するための最良の形態】
【００１９】
以下、図面を用いて本発明の実施の形態を説明する。
【００２０】
図１は本発明の第１実施形態にかかる補助ブラケットの使用状態を表す側面図、図２はその斜視図、図３は分解斜視図である。
【００２１】
本実施形態において、補助ブラケット１０は、補助ブラケット本体１２と、補助ブラケット本体１２の正面に配置される取付体１４とからなる。
【００２２】
補助ブラケット本体１２は、下側が開放されて開口部１２ａを有する例えば金属製のレールである。取付体１４は、そのレール形状内に挿入可能な水平ブロック部（水平部）１４ａと、水平ブロック部１４ａの正面側で上下に伸びる垂直ブロック部（垂直部）１４ｂとからなる例えば樹脂製のブロック体である。
【００２３】
取付体１４の水平ブロック部１４ａを補助ブラケット本体１２に正面から挿入し、補助ブラケット本体１２の側面に形成された取付孔１２ｂ、１２ｂから取付体１４の水平ブロック部１４ａの側面に形成されたネジ孔１４ｃへと取付用ビス１６をねじ込むことにより、補助ブラケット本体１２と取付体１４とが一体化され、垂直ブロック部１４ｂは補助ブラケット本体１２の開口部１２ａから下方へと突出する。また、取付体１４にネジ孔１４ｃではなく突起などの係合部を一体に形成すれば、係合部を補助ブラケット本体１２の取付孔１２ｂに係合させることにより、補助ブラケット本体１２と取付体１４を一体化させることもできる。
【００２４】
補助ブラケット本体１２の上面は、窓枠等の水平な固定取付面２４に当接されるものであり、その上面には該水平な固定取付面２４に取り付けられる被取付部としての取付孔１２ｃ、１２ｃが形成されている。この取付孔１２ｃ、１２ｃは、窓枠等の固定取付面２４に補助ブラケット本体１２を取り付けるための取付用ビス２０（図４参照）が貫通するための孔であり、長孔となっている。
【００２５】
取付体１４の垂直ブロック部１４ｂの正面にはネジ孔１４ｄが形成されており、このネジ孔１４ｄが第１取付部を構成する。
【００２６】
補助ブラケット本体１２内には、開口部１２ａを跨り伸びる取付プレート１８が配置される。図４に示したように、取付プレート１８には取付孔１８ａが形成されると共に、ナット１８ｂが取付孔１８ａと整合されて固定されている。但し、ナット１８ｂは別部品とすることも可能である。この取付プレート１８の取付孔１８ａとナット１８ｂは、補助ブラケット本体１２の下面において第２取付部を構成する。取付プレート１８は、レールの補助ブラケット本体１２に沿って前後に移動可能であり、よって、この第２取付部は、適宜その前後位置が調整可能となっている。
【００２７】
以上のように構成される補助ブラケット１０は、取付用ビス２０を用いて窓枠等の水平な固定取付面２４に取り付けられる。
【００２８】
そして、図４に示すように、第１取付部である取付体１４のネジ孔１４ｄには、正面側からネジ込まれる取付用ビス３２によって第１ブラインド取付用ブラケット３０が取り付けられる。さらに、第１ブラインド取付用ブラケット３０には、対応する第１ブラインド３４の遮蔽材３８を支持するブラインド支持枠３６が取り付けられる。図１に示した例では、第１ブラインド３４はローマンシェードであり、遮蔽材３８としてスクリーンとなっているが、この第１ブラインド取付用ブラケット３０及び第１ブラインド３４の構成は任意である。
【００２９】
また、第２取付部である取付プレート１８の取付孔１８ａ及びナット１８ｂに下方から挿通及びネジ込まれる取付用ビス４２によって第２ブラインド取付用ブラケット４０が取り付けられる。取付用ビス４２の先端部は、補助ブラケット本体１２のレール内に収納される。補助ブラケット本体１２の上下方向の厚みによって、そのレール内に取付用ビス４２を収納することができ、取付用ビス４２が窓枠等の固定取付面２４に干渉することを防ぐことができる。よってレール内は取付用ビス４２の先端部を収納する収納部となる。
【００３０】
さらに、第２ブラインド取付用ブラケット４０には、対応する第２ブラインド４４の遮蔽材４８を支持するブラインド支持枠４６が取り付けられる。図１に示した例では、第２ブラインド４４はプリーツスクリーンであり、遮蔽材４８としてスクリーンとなっているが、この第２ブラインド取付用ブラケット４０及び第２ブラインド４４の構成は任意である。
【００３１】
このように、第１取付部を有する取付体１４は、補助ブラケット本体１２の正面側にあって、且つその垂直ブロック１４ｂが補助ブラケット本体１２に対して下方に伸びることができるため、正面側に取り付けられる第１ブラインド取付用ブラケット３０の上端部の高さを、補助ブラケット１０の被取付部である取付孔１２ｃの高さと同じか、または、垂直ブロック１４ｂのネジ孔１４ｄをさらに下方にも設ければ、補助ブラケット１０の被取付部である取付孔１２ｃよりも下方となる位置にすることができる。つまり、図４に示すように、第１ブラインド取付用ブラケット３０を窓枠等の固定取付面２４の下方にすることもでき、窓枠等の固定取付面２４の正面側に突出しないように取り付けることができるようになる。また、ネジ孔１４ｄを好ましくは複数上下方向に離間して設けて、その上方のネジ孔１４ｄを用いて第１ブラインド取付用ブラケット３０を取り付ければ、第１ブラインド取付用ブラケット３０の上端部の高さを補助ブラケット１０の被取付部である取付孔１２ｃよりも上方となる位置にもすることができる。さらに、ネジ孔１４ｄが複数上下方向に離間して設けてあれば、取付けられる第１ブラインド３４の種類によって第１ブラインド取付用ブラケット３０が異なる場合であっても、取付けるネジ孔１４ｄを適宜選択することによって対応することができる。こうして、窓枠等の固定取付面２４の構造に制約を受けずに、自由度が高く、固定取り付け面２４に取り付けることができるようになる。
【００３２】
図５は、第２取付部を有する取付プレート１８を補助ブラケット本体１２のレールに沿って前後に移動することにより、第２ブラインド取付用ブラケット４０の前後方向の取付位置を調整することができる。こうして、第２ブラインド４４の種類によって、第１ブラインド取付用ブラケット３０との間の距離を変更して干渉しないようにすることができる。
【００３３】
次に、図６ないし図８は、本発明の第２実施形態を表す図である。第１実施形態と同一の部材は同一の符号を付して、その説明を省略している。
【００３４】
この実施形態では、補助ブラケット１０は、補助ブラケット本体１２と、取付体５４と、からなる。取付体５４は、水平ブロック部（水平部）５４ａと該水平ブロック部５４ａの正面側端部から上下方向に伸びる垂直ブロック部（垂直部）５４ｂとからなり、これらが側面視でＬ字形状をなしている。
【００３５】
水平ブロック部５４ａは、上下の向きを逆転可能に補助ブラケット本体１２の正面から挿入して補助ブラケット本体１２に取り付けることができるようになっている。
【００３６】
水平ブロック部５４ａを補助ブラケット本体１２の正面から挿入して補助ブラケット本体１２に取り付けたときに、垂直ブロック部５４ｂが下方に伸びるように配置すると、図７に示すように、第１実施形態と同様に、第１ブラインド取付用ブラケット３０の上端部の高さを、補助ブラケット１０の被取付部である取付孔１２ｃの高さと同じか、または、垂直ブロック５４ｂのネジ孔５４ｄをさらに下方にも設ければ、補助ブラケット１０の被取付部である取付孔１２ｃの高さよりも下方となる位置にすることができる。つまり、第１ブラインド取付用ブラケット３０を窓枠等の固定取付面２４の下方にすることもでき、窓枠等の固定取付面２４の正面側に突出しないように取り付けることができるようになる。
【００３７】
一方、水平ブロック部５４ａを補助ブラケット本体１２の正面から挿入して補助ブラケット本体１２に取り付けたときに、垂直ブロック部５４ｂが上方に伸びるように配置すると、図８に示すように、第１ブラインド取付用ブラケット３０の上端部の高さを補助ブラケット１０の被取付部である取付孔１２ｃよりも上方となる位置にすることができる。つまり、第１ブラインド取付用ブラケット３０を窓枠等の固定取付面２４よりも正面側に突出させ且つ上方に取り付けることができるようになる。
【００３８】
こうして、第１ブラインド取付用ブラケット３０の位置を、窓枠等の固定取付面２４の下方及び上方のいずれかに任意に選択可能である。
【図面の簡単な説明】
【００３９】
【図１】本発明の第１実施形態にかかる補助ブラケットの使用状態を表す側面図である。
【図２】図１の補助ブラケットの斜視図である。
【図３】図１の補助ブラケットの分解斜視図である。
【図４】図１の補助ブラケットを窓枠に取り付けた状態を表す中央横断面図である。
【図５】図４から第２ブラインド取付用ブラケットの位置を調整した状態を表す中央横断面図である。
【図６】本発明の第２実施形態にかかる補助ブラケットの分解斜視図である。
【図７】図６の補助ブラケットを、その取付体の垂直部が下方に伸びるようにして、窓枠に取り付けた状態を表す中央横断面図である。
【図８】図６の補助ブラケットを、その取付体の垂直部が上方に伸びるようにして、窓枠に取り付けた状態を表す中央横断面図である。
【符号の説明】
【００４０】
１０  補助ブラケット
１２  補助ブラケット本体
１２ｃ  取付孔（被取付部）
１４、５４  取付体
１４ａ、５４ａ  水平ブロック部（水平部）
１４ｂ、５４ｂ  垂直ブロック部（垂直部）
１４ｄ、５４ｄ  ネジ孔（第１取付部）
１８ａ  取付孔（第２取付部）
１８ｂ  ナット（第２取付部）
２４  窓枠等の固定取付面
３０  第１ブラインド取付用ブラケット
４０  第２ブラインド取付用ブラケット
３２、４２  取付用ビス
【図１】
2005290759.tif 000003
【図２】
2005290759.tif 000004
【図３】
2005290759.tif 000005
【図４】
2005290759.tif 000006
【図５】
2005290759.tif 000007
【図６】
2005290759.tif 000008
【図７】
2005290759.tif 000009
【図８】
2005290759.tif 000010